(57)【特許請求の範囲】
【請求項１】
無線信号（１０２）を送信するためのデータ送信機（１００）であって、前記データ送信機（１００）が、修正無線信号（１０６）を送信するために標準準拠無線信号（１０４）を修正するように構成され、ある周波数帯域において、前記修正無線信号（１０６）の振幅は時間域内でビット列（１０８）を追加的にマッピングする、データ送信機（１００）。
【請求項２】
前記データ送信機（１００）が、前記修正無線信号（１０６）を送信するために、前記標準準拠無線信号（１０４）の振幅を修正するように構成される、請求項１に記載のデータ送信機（１００）。
【請求項３】
前記データ送信機（１００）が、振幅変調に対応して前記ビット列（１０８）をマッピングするように構成される、請求項１または２に記載のデータ送信機（１００）。
【請求項４】
前記データ送信機（１００）が、ＯＯＫ変調に対応して前記ビット列（１０８）をマッピングするように構成される、請求項１〜３のいずれか１項に記載のデータ送信機（１００）。
【請求項５】
前記データ送信機（１００）が、前記ビット列（１０８）の第１の論理値をマッピングするために、第１の送信電力で前記標準準拠無線信号（１０４）を送信するように構成され、
前記データ送信機（１００）が、前記ビット列（１０８）の第２の論理値をマッピングするために、第２の送信電力で前記標準準拠無線信号（１０４）を送信するように構成され、
前記第１の送信電力が、前記第２の送信電力とは異なる、請求項１〜４のいずれか１項に記載のデータ送信機（１００）。
【請求項６】
前記データ送信機（１００）が、前記標準準拠無線信号（１０４）をバーストで送信するように構成され、
前記ビット列の第１の論理値を前記標準準拠無線信号（１０４）が送信される期間にマッピングし、
前記ビット列の第２の論理値を前記標準準拠無線信号（１０４）が送信されていない期間、または前記標準準拠無線信号（１０４）の送信が停止されている期間にマッピングする、請求項１〜５のいずれか１項に記載のデータ送信機（１００）。
【請求項７】
前記データ送信機（１００）が、前記周波数帯域において前記ビット列（１０８）の第１の論理値をマッピングするために、前記周波数帯域で前記標準準拠無線信号（１０４）を送信するように構成され、
前記データ送信機（１００）が、前記周波数帯域において前記ビット列（１０８）の第２の論理値をマッピングするために、別の周波数帯域で前記標準準拠無線信号（１０４）を送信するように構成され、
前記周波数帯域が、前記別の周波数帯域とは異なる、請求項１〜６のいずれか１項に記載のデータ送信機（１００）。
【請求項８】
前記データ送信機（１００）が、
前記標準準拠無線信号（１０４）を供給または送信するように構成される送信手段（１１０）と、
前記送信手段（１１０）または前記送信手段（１１０）の下流にあるデバイスを駆動して、前記標準準拠無線信号（１０４）を修正するように構成される制御手段（１１２）と、
を備える、請求項１〜７のいずれか１項に記載のデータ送信機（１００）。
【請求項９】
前記データ送信機（１００）が、第１の動作モードで前記標準準拠無線信号（１０４）を送信するように構成され、
前記データ送信機（１００）が、前記修正無線信号（１０６）を送信するために、第２の動作モードで前記標準準拠無線信号（１０４）を修正するように構成される、請求項１〜８のいずれか１項に記載のデータ送信機（１００）。
【請求項１０】
前記データ送信機（１００）が、前記第２の動作モードで前記標準準拠無線信号（１０４）をさらに生成し、前記標準準拠無線信号（１０４）を修正するように構成されて、前記修正無線信号（１０６）が、前記標準準拠無線信号（１０４）に含まれる情報とは別に、前記ビット列（１０８）を用いてマッピングされた追加情報を含むようにする、請求項９に記載のデータ送信機（１００）。
【請求項１１】
前記標準準拠無線信号（１０４）が、ＷＬＡＮ、ＤＥＣＴ、ＢｌｕｅｔｏｏｔｈまたはＺｉｇＢｅｅ信号である、請求項１〜１０のいずれか１項に記載のデータ送信機（１００）。
【請求項１２】
前記データ送信機（１００）が、テレグラムをデータ受信機に送信するように構成され、前記ビット列（１０８）が、前記テレグラムを形成する、請求項１〜１１のいずれか１項に記載のデータ送信機（１００）。
【請求項１３】
前記テレグラムが、プリアンブルまたは同期系列（１１２）を含む、請求項１２に記載のデータ送信機（１００）。
【請求項１４】
前記テレグラムが、前記データ送信機（１００）の送信機識別情報（１１４）を含む、請求項１２または１３に記載のデータ送信機（１００）。
【請求項１５】
前記テレグラムが、前記データ受信機の受信機識別情報（１１６）を含む、請求項１２〜１４のいずれか１項に記載のデータ送信機（１００）。
【請求項１６】
請求項１〜１５のいずれか１項に記載のデータ送信機（１００）と、
データ受信機（１５０）であって、前記データ受信機（１５０）が、ＲＦ送受信機（１５２）と追加的なＲＦ受信機（１５４）とを備える、データ受信機（１５０）と、
を備え、
前記ＲＦ送受信機（１５２）が、前記データ送信機（１００）との無線接続を形成するために、少なくとも前記周波数帯域で標準準拠無線信号（１０４）を送受信するように構成され、前記データ受信機（１５０）が、前記データ受信機（１５０）と前記データ送信機（１００）との間においてアクティブな無線接続が無い場合に、前記ＲＦ送受信機（１５２）を無効化するように構成され、
前記ＲＦ受信機（１５４）が、前記ビット列（１０８）を用いて前記データ送信機（１００）からの前記修正無線信号（１０６）を認識するために、前記周波数帯域を監視するように構成され、前記データ受信機（１５０）が、前記データ送信機（１００）の前記修正無線信号（１０６）を認識すると、前記ＲＦ送受信機（１５２）を有効化するように構成される、システム。
【請求項１７】
前記データ受信機（１５０）が、前記ビット列（１０８）が既定の基準を満たした場合に、前記ＲＦ送受信機（１５２）を有効化するように構成される、請求項１６に記載のシステム。
【請求項１８】
請求項１３に記載のデータ送信機（１００）を備え、前記データ受信機（１５２）が、前記プリアンブルまたは同期系列（１１２）を用いて前記修正無線信号（１０６）を認識するように構成される、請求項１６または１７に記載のシステム。
【請求項１９】
請求項１４に記載のデータ送信機（１００）を備え、前記データ受信機（１５０）が、前記送信機識別情報（１１４）が期待される送信機識別情報と一致した場合に、前記ＲＦ送受信機（１５２）を有効化するように構成される、請求項１６〜１８のいずれか１項に記載のシステム。
【請求項２０】
請求項１５に記載のデータ送信機（１００）を備え、前記データ受信機（１５０）が、前記受信機識別情報（１１６）が期待される受信機識別情報と一致した場合に前記ＲＦ送受信機（１５２）を有効化するように構成される、請求項１６〜１９のいずれか１項に記載のシステム。
【請求項２１】
無線信号を送信するための方法（２００）であって、
修正無線信号を得るために標準準拠無線信号を修正するステップ（２０２）であって、ある周波数帯域において、前記修正無線信号の振幅は時間域内でビット列を追加的にマッピングする、修正するステップ（２０２）と、
前記修正無線信号を送信するステップ（２０４）と、
を含む、無線信号を送信するための方法（２００）。
【発明の詳細な説明】
【技術分野】
【０００１】
本発明の実施形態は、データ送信機に関し、詳細には、追加情報を送信するために標準準拠無線信号を修正するデータ送信機に関する。さらなる実施形態は、標準無線システムによるウェイクアップパターン発生器に関する。
【背景技術】
【０００２】
ＲＦ送受信機と追加的な省エネルギーＲＦ受信機とを有するデータ受信機であって、アクティブな無線接続が無い場合にＲＦ送受信機を無効化することにより、データ受信機のエネルギー消費を低減するデータ受信機が知られている。ＲＦ送受信機が無効化されている中で、データ送信機の発する接続形成無線信号を認識するために、代わりに省エネルギーＲＦ受信機が、無線信号の送受信用にＲＦ送受信機が使う周波数範囲を監視し、接続形成無線信号を認識すると、ＲＦ送受信機が再び有効化される。
【０００３】
しかしながら、従来の標準準拠データ送信機は、省エネルギーＲＦ受信機が認識し得る接続形成無線信号を発するのに適さない。
【発明の概要】
【発明が解決しようとする課題】
【０００４】
本発明の基礎となる目的は、上述のデータ受信機に対応する標準準拠データ送信機を作るというコンセプトを提供することである。
【課題を解決するための手段】
【０００５】
本目的は、独立請求項によって達成される。
従属請求項は、有利なさらなる発展を主題としている。
【０００６】
本発明の実施形態は、無線信号を送信するためのデータ送信機を提供するものであり、データ送信機は、修正標準準拠無線信号を送信するために標準準拠無線信号を修正するように構成され、ある周波数帯域において、ビット列を修正標準準拠無線信号の振幅に追加的にマッピングする。
【０００７】
本発明は、追加的なビット列を標準準拠無線信号の振幅にマッピングするというアイデアに基づくものである。この標準準拠無線信号が、追加的なビット列を修正標準準拠無線信号の振幅にマッピングするように送信前に修正される。修正標準準拠無線信号は、例えば、データ受信機の実際の標準準拠ＲＦ送受信機が無効化されている場合、データ受信機の省エネルギーＲＦ受信機によって、ビット列を用いて認識されるのであってもよい。
【０００８】
そのような省エネルギーＲＦ受信機をアドレスする／ウェイクアップさせることができるようにするために、適切なウェイクアップパターン（例えば、振幅変調された信号）を発しなければならない。
【０００９】
実施形態によれば、標準無線システムを用いて、これらを基本的に変えなくても、プロプライエタリな信号（ウェイクアップ信号）を発することができる。これらの標準システムを操作して、試験信号やアドバタイジングチャネルだけでなく伝送規格で許容される閾値等の標準において規定された特別な機能において、所望のウェイクアップパターンを同様に発するように送信振幅に影響を与えるようにする。
【００１０】
よって、実施形態には、ウェイクアップに適する無線信号をエミュレートするために、既存の無線システムを（例えば、適切な装置、方法および／またはコンピュータプロクラムによって）修正するという、柔軟性の面での利点がある。一部の実施形態では、送信機側にも受信機側にもハードウェアが介在する必要が無い。
【００１１】
さらなる実施形態は、データ送信機とデータ受信機とを備えるシステムを提供する。データ送信機は、修正無線信号を送信するために標準準拠無線信号を修正するように構成され、ある周波数帯域において、ビット列を修正無線信号の振幅に追加的にマッピングする。データ受信機は、ＲＦ送受信機とＲＦ受信機とを備える。ＲＦ送受信機は、データ送信機との無線接続を形成するために、少なくとも上記周波数帯域において標準準拠無線信号を送受信するように構成され、データ受信機は、データ受信機とデータ送信機との間においてアクティブな無線接続が無い場合に、ＲＦ送受信機を無効化するように構成される。ＲＦ受信機は、ビット列を用いて、データ送信機からの修正無線信号を認識するために、周波数帯域を監視するように構成され、データ受信機は、データ送信機の修正無線信号を認識すると、ＲＦ送受信機を有効化するように構成される。
【００１２】
さらなる実施形態は、無線信号を送信するための方法を提供する。本方法は、以下のステップを含む。
−修正無線信号を得るために、標準準拠無線信号を修正するステップであって、ある周波数帯域において、ビット列を修正無線信号の振幅に追加的にマッピングする、標準準拠無線信号を修正するステップ、および
−修正無線信号を送信するステップ。
【００１３】
以下、添付の図面を参照しながら、本発明の実施形態をより詳細に説明する。
【図面の簡単な説明】
【００１４】
【図１】本発明の一実施形態による、無線信号を送信するためのデータ送信機の概略的なブロック回路図である。
【図２】別の実施形態による、ＲＦ送信機と制御手段とを有するデータ送信機の概略的なブロック回路図である。
【図３】データ送信機とデータ受信機とを有するシステムの概略的なブロック回路図である。
【図４】ある周波数帯域において、ビット列を修正無線信号の振幅に追加的にマッピングする、修正無線信号の図、および修正無線信号の包絡線の図であり、いずれも時間に対してプロットしたものである。
【図５】ある周波数帯域において、同期系列を含むテレグラムを形成するビット列を修正無線信号の振幅に追加的にマッピングする、修正無線信号の図である。
【図６】ある周波数帯域において、同期系列と送信機識別情報とを含むテレグラムを形成するビット列を修正無線信号の振幅に追加的にマッピングする、修正無線信号の図である。
【図７】ある周波数帯域において、同期系列と受信機識別情報とを含むテレグラムを形成するビット列を修正無線信号の振幅に追加的にマッピングする、修正無線信号の図である。
【図８】一実施形態による、無線信号を送信するための方法の流れ図である。
【発明を実施するための形態】
【００１５】
以下の本発明の実施形態の説明では、図面における同じ要素または同じ効果の要素には、同じ参照番号を付与して、それらの説明が、異なる実施形態においても相互に交換可能となるようにしている。
【００１６】
図１は、本発明の一実施形態による、無線信号１０２を送信するためのデータ送信機１００の概略的なブロック回路図である。データ送信機１００は、修正無線信号（修正標準準拠無線信号）１０６を送信するために標準準拠無線信号１０４を修正するように構成され、ある周波数帯域において、ビット列１０８を修正無線信号の振幅に追加的にマッピングする。
【００１７】
標準準拠無線信号１０４は、ある無線規格に対応する無線信号であってもよい。換言すると、標準準拠無線信号１０４は、ある規格に準拠する無線信号であってもよい。このことは、標準準拠無線信号１０４が、任意の従来の標準準拠データ受信機によって受信および評価（例えば、復号）され得る無線信号であることを意味している。
【００１８】
実施形態では、データ送信機１００は、第１の動作モード（例えば、通常の動作モードまたは標準準拠の動作モード）で標準準拠無線信号１０４を送信するように、また、修正無線信号１０６を送信するために、第２の動作モード（例えば、接続形成動作モード）で標準準拠無線信号１０４を修正するように構成されてもよい。
【００１９】
このように、データ送信機１００は、標準準拠無線信号１０４または修正無線信号１０６（のいずれか）を無線信号１０２として送信するように構成されてもよい。
【００２０】
このデータ送信機１００は、第２の動作モードで標準準拠無線信号１０４をさらに発生させる（または生成または供給する）ように構成されるが、標準準拠無線信号１０４を修正して、ある周波数帯域において、ビット列１０８を修正標準準拠無線信号１０６の振幅に追加的にマッピングするように構成されてもよい。
【００２１】
実施形態では、データ送信機１００は、修正標準準拠無線信号１０６を得るために、標準準拠無線信号１０４の振幅を修正するように構成され、ある周波数帯域において、ビット列１０８を修正標準準拠無線信号１０６の振幅に追加的にマッピングしてもよい。例示的には、データ送信機１００は、例えば、ＡＳＫ（振幅偏移変調）変調またはＯＯＫ変調（ＯＯＫ＝オンオフ変調。単純な形態の振幅偏移変調であり、搬送波のオンオフを切替える）などの振幅変調に対応してビット列をマッピングするように構成されてもよい。
【００２２】
データ送信機１００は、修正標準準拠無線信号１０６を得るために、標準準拠無線信号１０４の送信電力を変更するように構成されてもよい。データ送信機１００は、例えば、ビット列の第１の論理値をマッピングするために、第１の送信電力で標準準拠無線信号１０４を送信するように、また、ビット列の第２の論理値をマッピングするために、第２の送信電力で標準準拠無線信号１０４を送信するように構成されてもよく、第１の送信電力は、第２の送信電力とは異なる。
【００２３】
加えて、データ送信機１００は、修正標準準拠無線信号１０６を得るために、標準準拠無線信号１０４をバーストで送信するように構成されてもよく、ビット列の第１の論理値を標準準拠無線信号１０４が送信される期間にマッピングし、ビット列の第２の論理値を標準準拠無線信号１０４が送信されていない期間、または標準準拠無線信号１０４の送信が停止されている期間にマッピングする。
【００２４】
加えて、データ送信機１００は、修正標準準拠無線信号１０６を得るために、標準準拠無線信号１０４を送信する周波数帯域（またはチャネル）を変更するように構成されてもよい。例示的には、データ送信機１００は、上記周波数帯域（例えば、第１の周波数帯域）においてビット列１０８の第１の論理値をマッピングするために、上記周波数帯域（例えば、第１の周波数帯域または第１のチャネル）で標準準拠無線信号１０４を送信するように、また、上記周波数帯域（例えば、第１の周波数帯域）においてビット列の第２の論理値をマッピングするために、別の周波数帯域（例えば、第２の周波数帯域または第２のチャネル）で標準準拠無線信号１０４を送信するように構成されてもよく、上記周波数帯域（例えば、第１の周波数帯域）は、別の周波数帯域（例えば、第２の周波数帯域）とは異なる。
【００２５】
このように、修正標準準拠無線信号１０６は、本質的に、標準準拠無線信号１０４に対応するが、ビット列１０８が修正標準準拠無線信号１０６の振幅に追加的にマッピングされることに違いがある。よって、修正標準準拠無線信号１０６は、標準準拠無線信号１０４（または標準準拠情報）に含まれる情報とは別に、ビット列１０８を用いてマッピングされた追加情報を含んでもよい。
【００２６】
図２は、本発明の一実施形態による、データ送信機１００の概略的なブロック回路図である。図１と比べると、図２に示すデータ送信機１００は、標準準拠送信手段１１０と、場合により、制御手段１１２とを追加的に備える。
【００２７】
標準準拠送信手段１１０は、標準準拠無線信号１０６を（第１の動作モードで）供給および送信するように構成されてもよい。標準準拠送信手段１１０は、例えば、標準準拠の無線チップであってもよい。
【００２８】
データ送信機１００または制御手段１１２は、修正無線信号１０６を得て送信するために、標準準拠送信手段１１０を（第２の動作モードで）駆動するように構成されて、標準準拠無線信号１０４を修正してもよく、ある周波数帯域において、ビット列１０８を修正無線信号１０６の振幅に追加的にマッピングする。
【００２９】
代替的に、データ送信機１００は、増幅器またはミキサなどの装置を標準準拠送信手段１１０の下流に追加的に備えてもよく、データ送信機１００または制御手段１１２は、下流の装置を駆動して、修正無線信号１０６を得て送信するために、標準準拠送信手段が供給する標準準拠信号を修正するように構成されてもよい。
【００３０】
図３は、データ送信機１００とデータ受信機１５０とを有するシステムの概略的なブロック回路図である。
【００３１】
図１および図２を参照して既に説明したように、データ受信機１５０は、修正無線信号を送信するために、標準準拠無線信号を修正するように構成され、ある周波数帯域において、ビット列を修正無線信号の振幅に追加的にマッピングしてもよい。
【００３２】
データ受信機１５０は、標準準拠ＲＦ送受信機１５２と追加的なＲＦ受信機１５４とを備えてもよい。
【００３３】
データ受信機１５０のＲＦ送受信機１５２は、データ送信機１００との無線接続を形成するために、少なくとも上記周波数帯域において標準準拠無線信号１０４を送受信するように構成されてもよく、データ受信機１５０は、データ受信機１５０とデータ送信機１００との間においてアクティブな無線接続が無い場合、ＲＦ送受信機１５２を無効化するように構成されてもよい。ＲＦ送受信機１５２は、例えば、（従来型の）標準準拠の無線チップであってもよい。
【００３４】
追加的なＲＦ受信機１５４は、ビット列１０８を用いて、データ送信機１００からの修正無線信号１０６（例えば、ウェイクアップ信号またはイネーブル信号）を認識するために、周波数帯域を監視するように構成されてもよく、データ受信機１５０は、データ送信機１００の修正無線信号１０６を認識すると、ＲＦ送受信機１５２を有効化するように構成されてもよい。
【００３５】
このように、データ受信機１００は、ビット列が既定の基準を満たす場合（に限り）、ＲＦ送受信機１５２を有効化するように構成されてもよい。例示的には、既定の基準は、ビット列と既定のビット列とが、またはビット列の一部と既定のビット列の一部とが十分に一致することであってもよい。加えて、既定の基準は、ビット列が有する、または含む情報と、既定の、または期待される情報とが一致することであってもよい。
【００３６】
データ送信機１００およびデータ受信機１５０のさらなる実施形態について以下により詳細に説明する。
【００３７】
既に述べたように、データ受信機１５０は、ＲＦ送受信機１５２と追加的なＲＦ受信機１５４とを備えてもよく、ＲＦ受信機１５４は、修正無線信号１０６を認識すると、ＲＦ送受信機１５２を有効化すること、すなわちウェイクアップさせることができる。そのため、ＲＦ受信機１５４をウェイクアップ受信機と呼び、また修正無線信号１０６をウェイクアップ信号と呼ぶ。
【００３８】
このように、（データ受信機１５０の）使用されるウェイクアップ受信機技術は、本質的に固定として既定されたプロプライエタリな規格外の無線プロトコルを用いる。この技術を、Ｂｌｕｅｔｏｏｔｈ（登録商標、以下同じ）、Ｂｌｕｅｔｏｏｔｈ  Ｌｏｗ  Ｅｎｅｒｇｙ、ＺｉｇＢｅｅ（データ量の少ない無線ネットワークのための仕様）またはＷＬＡＮ（無線ローカルエリアネットワーク）などの標準に準拠して動作する全世界で利用可能な無線技術に使えるようにするために、既に利用されているこれらの規格化されたシステムは、省電流ウェイクアップ受信機技術によってプロプライエタリなウェイクアップ信号として解釈される無線信号を生成（またはエミュレート）しなければならない。無線規格によっては、ビット転送層（すなわち物理層（ＰＨＹ層））付近の下位のＯＳＩ層に直接アクセスできるとは限らないため、エミュレーション信号の生成は難しい。
【００３９】
よって、標準準拠無線信号１０４を整形（修正）して、これが、ＯＯＫ変調されたウェイクアップ信号（ＯＯＫ＝オンオフ変調。信号強度「オン」および「オフ」による高周波の搬送波の振幅変調）と解釈され得るようにする。目標は、ウェイクアップ系列を再生するのに有用なデータに関して、８ビットから３２ビット、必要であればそれ以上の長さのビット列のＯＯＫ変調されたビット列を発することである（例えば、３１ビットのビット列）。一般的に、データレートの範囲は、３２ビット／秒から６４ｋビット／秒である。搬送波周波数は、ＨＦ（短波）、ＶＨＦ（超短波）およびＵＨＦ（極超短波）の周波数帯域であってもよい。変調は、１００％の変調度の振幅変調として実行してもよい（この場合「ＯＯＫ」）。しかしながら、少なくとも、ＯＯＫ「０」レベルからＯＯＫ「１」レベルまでのレベルの差が、例えば、少なくとも１０ｄＢであるほど低いような、低い変調度もまた用いることができる。ＯＯＫ変調された搬送波信号の利点は、省電流無線受信機１５４を用いて（最も簡単な場合、検波器、サンプリングまたは超再生受信機も用いる）ＯＯＫ変調された搬送波信号を検波および受信することである（注：この場合、電流消費は、２０μＡ未満であることが多い）。
【００４０】
ＯＯＫ「１」として標準準拠バースト信号を用いてもよい。ＯＯＫ「０」については、瞬断があってもよい。バーストとは、例えば、ＦＳＫ（周波数偏移変調）またはＱＰＳＫ（四位相偏移変調）または様々な位相および周波数の変調におけるものなど、いかなる振幅変調もすることなく行われる、搬送波におけるＨＦ（短波）アクティビティを表す。図４を参照されたい。
【００４１】
詳細には、図４は、ある周波数帯域において、ビット列１０８を修正無線信号１０６の振幅に追加的にマッピングする、修正無線信号１０６の図１７０、および修正無線信号１０６の包絡線１７４の図１７２であり、いずれも時間に対してプロットしたものである。
【００４２】
バースト内の変調レートは、所望のＯＯＫデータレートよりも一桁大きくなるようにすることが好ましい。例えば、１６‐ＱＡＭ（直角位相振幅変調）など、より複雑な変調もまた想定される。ここで肝心なのは、無線信号が、ウェイクアップ受信機１５４によって、ＯＯＫ「１」および「０」信号として解釈され得るということである。バーストはまた、無線問い合わせ（例えば、問い合わせスキャン（ｉｎｑｕｉｒｙ  ｓｃａｎ））または特定の長さの無線データパッケージであってもよい。ここで重要なのは、所望のＯＯＫビット持続時間に関してアクティビティ時間を保つことである。本方法は、低ＯＯＫデータレート（例えば、ビット持続時間＞１０ｍｓ）では実現が容易であり、また、例えば、対応する無線アクティビティと互いに関係するソフトウェア手順を単に有効化することによって、ビット転送層（ＰＨＹ層）へのアクセスが難しい無線規格にも適用される。１つの取り得る実装は、無線規格の機能（例えば、問い合わせスキャン）にトリガをかける、または中断する場合の非常に遅いＯＯＫ変調であり得る。
【００４３】
ＯＯＫ「０」はまた、周波数から十分に離れた異なる周波数へのチャネルの変化によって実現されてもよい。よって、例えば（２ＭＨｚから１０ＭＨｚの伝送帯域幅の範囲にある）ＳＡＷ（表面弾性波）フィルタの対応するＨＦフィルタ帯域幅も考えられる。本方法は、より高いＯＯＫデータレート（例えば、ビット持続時間＜１ｍｓ）を実現しようとする場合に適している。チャネル選択へのアクセスには、通常、特定のソフトウェア由来の遅延を必然的に伴う。よって、より短いＯＯＫビット持続時間が実現されてもよい。
【００４４】
上述のようなＡＳＫまたはＯＯＫ変調されたウェイクアップ信号１０６の生成とは別に、ウェイクアップテレグラムの整形のために、以下の方法を用いてもよい。このウェイクアップテレグラムは、ビット列１０８によってマッピングされてもよい。換言すると、ビット列１０８は、ウェイクアップテレグラムを形成してもよい。
【００４５】
図５は、ある周波数帯域において、プリアンブルまたは同期系列１１２を含むテレグラムを形成するビット列１０８をウェイクアップ信号１０６の振幅に追加的にマッピングする、ウェイクアップ信号１０６の図である。ここでデータ受信機１５０は、プリアンブルまたは同期系列１１２を用いてウェイクアップ信号１０６を認識するように構成されてもよい。換言すると、上述の方法を用いてエミュレートされ得るウェイクアップテレグラムは、特別に変調されたプリアンブル（例えば、鋭い自己相関関数を有する２値ビット列）を含んでもよい（図５参照）。よって、このメッセージに起因して、オブジェクトのすべてが、適切な省電流ウェイクアップ受信機１５４と作用し、さらなる動作（例えば、二次的な電子機器を有効化し、無線テレグラムまたは光学シグナリングもしくは音響シグナリングとして応答する）のトリガとなり得る。
【００４６】
図６は、ある周波数帯域において、プリアンブル１１２および送信機識別情報１１４を含むテレグラムを形成するビット列１０８をウェイクアップ信号１０６の振幅に追加的にマッピングする、ウェイクアップ信号１０６の図である。ここでデータ受信機１５０は、送信機識別情報が期待される送信機識別情報と一致する場合（に限り）、ＲＦ送受信機１５２を有効化するように構成されてもよい。換言すると、上述の方法を用いてエミュレートされ得るウェイクアップテレグラムは、特別に変調されたプリアンブル（例えば、鋭い自己相関関数を有する２値ビット列）と、送信機識別情報（ＩＤ）に対応する２値系列とを含んでもよい（図６参照）。よって、省電流ウェイクアップ受信機のすべては、ブロードキャストメッセージを受信でき、必要であれば、二次的な電子機器の動作のトリガをかけることができる。適用例：例えば、特定のＳＳＩＤ（サービスセット識別情報。すなわち自由に選択可能なサービスセット（すなわちＷＬＡＮ内の装置）名称）の特定のＷＬＡＮネットワークの省電流の認識。認識は、モバイル端末（携帯電話、ＰＤＡ、スマートフォンなど）において省電流で行われる。ブロードキャストメッセージでブロードキャストされたＳＳＩＤが、端末において期待されるＳＳＩＤと一致する場合に限り、モバイル端末の無線送受信機（ＲＦ送受信機）１５２がＷＬＡＮ通信用に有効化され、接続設定が開始される。
【００４７】
図７は、ある周波数帯域において、プリアンブル１１２および受信機識別情報１１６を含むテレグラムを形成するビット列１０８をウェイクアップ信号１０６の振幅に追加的にマッピングする、ウェイクアップ信号１０６の図である。ここでデータ受信機１５０は、受信機識別情報１１６が期待される受信機識別情報と一致する場合（に限り）、ＲＦ送受信機１５２を有効化するように構成されてもよい。換言すると、上述の方法を用いてエミュレートされ得るウェイクアップテレグラムは、特別に変調されたプリアンブル（例えば、鋭い自己相関関数を有する２値ビット列）と、特定のオブジェクトまたはオブジェクトクラスをアドレスするための受信機識別情報（ＲＸ−ＩＤ）とを含んでもよい（図７参照）。例：エミュレートされた変調（３．１参照）に基づいて、省電流ウェイクアップ受信機は、受信機識別情報を含むウェイクアップテレグラムを受信でき、送信された識別情報と、モバイル端末（例えば、ＧＳＭ（登録商標、以下同じ）（グローバルシステムフォーモバイルコミュニケーションズ）ネットワーク内の携帯電話）の実際の識別情報とが一致する場合、無線送受信機（およびＧＳＭに必要なさらなる電子的構成要素）を有効化し、ＧＳＭ接続設定を開始する。
【００４８】
図５〜図７を参照して提示される方法はまた、必要であれば、相応に組み合わせてもよい。使用されるプリアンブル１１２は、それぞれが鋭い自己相関関数を有し、かつ互いに相関が可能な限り少ない（相互に最小限相関した）異なる２値系列であり、その結果、受信状態が不良であっても、混同の可能性の少ない、明確な認識および区別が可能となる。エミュレートされた無線信号の省電流検波は、これらの方法のすべてに共通であるため、例えばモバイル端末において、かなりのエネルギー消費の低減が可能になる。その結果、例えば、無線受信機を含むセンサなどのバッテリ駆動の構成要素の動作時間をより長くすることが可能となる。低エネルギー消費に加えて、決定的な技術的利点は、特に、分単位や時間単位という非常に長い反応時間またはサイクル時間を必要とする従来の無線の解決策と比較した場合、反応時間が短いことである。
【００４９】
上述の方法に適する普及した無線システムの例には、以下のものが挙げられる。
−１３．５６ＭＨｚのＨＦ−ＲＦＩＤ＝＞ＲＦＩＤ（無線自動識別。すなわち電磁波による識別情報）リーダ
−８６８ＭＨｚ／９１５ＭＨｚの範囲にあるＵＨＦ−ＲＦＩＤ＝＞ＲＦＩＤリーダ
−２．４ＧＨｚのＢｌｕｅｔｏｏｔｈおよびＢｌｕｅｔｏｏｔｈ  Ｌｏｗ  Ｅｎｅｒｇｙ
−８６８ＭＨｚ／９１５ＭＨｚおよび２．４ＧＨｚのＺｉｇＢｅｅ
−２．４ＧＨおよび５ＧＨｚの無線ＬＡＮ
−１．８９ＧＨｚの無線電話ＤＥＣＴ規格（ＤＥＣＴ＝ｄｉｇｉｔａｌ  ｅｎｈａｎｃｅｄ  ｃｏｒｅｌｅｓｓ  ｔｅｌｅｃｏｍｍｕｎｉｃａｔｉｏｎｓ。無線技術による通信のための国際規格）
−４００ＭＨｚから３ＧＨｚのモバイル無線システムＧＳＭ／ＬＴＥ／ＵＭＴＳなど（ＬＴＥ＝ロングタームエボリューション。第４世代モバイル無線規格をいう。ＵＭＴＳ＝ユニバーサル移動体通信システム。第３世代モバイル無線規格）
【００５０】
データ送信機１００およびデータ受信機１５０のさらなる実施形態について以下に説明する。
【００５１】
ＲＦ受信機またはウェイクアップ受信機１５４は、振幅変調された信号パターンに反応してもよい。極めて省電流である受信機は、対応する信号によってアドレスされ、他の構成要素を有効化するために機能してもよい。
【００５２】
よって、省電流システムは、ウェイクアップ受信機１５４を有するデータ受信機１５０と、データ送信機（ウェイクアップパターン送信機）１００とを含み、これらがなければシステムは機能しない。いかなる特別なデータ送信機もなく、ウェイクアップ受信機１５４を有するデータ受信機１５０を利用するためには、実施形態では、標準無線システムを用いて、そのようなウェイクアップパターンを生成する。これには様々な方法がある。標準無線システムによってウェイクアップパターンを生成するための自由度は異なる。
【００５３】
無線システムが、ハードウェアを介在させずに、ウェイクアップパターンを発する直接的な方法を備える場合、これにトリガをかけるには、ソフトウェアを用いてもよい。よって、無線規格によって使われる搬送波信号またはアドバタイジングチャネルは、例えば、無線接続を設定する際に使われてもよい。
【００５４】
無線システムが振幅変調された信号を直接発することができない場合、そのような信号はまた、異なる発し方でエミュレートされてもよい。ここでは、無線信号が、ウェイクアップ受信機によってウェイクアップパターンであると認識されることは決まっている。よって、ウェイクアップ受信機の入力フィルタはまた、受信した信号からウェイクアップパターンをエミュレートするように寄与することができる。ここで、周波数変調された信号は、対応する周波数選択性受信ブランチによって受信された場合、振幅変調を実際に行わなくても振幅変調に類似することが分かる。よって、実際の周波数変調された送信の周波数変化が、このために最適化されていない受信ブランチにおいて、振幅変調と解釈され得る振幅変化を生じる。
【００５５】
図８は、無線信号を送信するための方法２００の流れ図である。方法２００は、修正無線信号を得るために、標準準拠無線信号を修正するステップ２０２であって、ある周波数帯域において、ビット列を修正無線信号の振幅に追加的にマッピングする、標準準拠無線信号を修正するステップ２０２と、修正無線信号を送信するステップ２０４とを含む。
【００５６】
装置の観点から一部の実施態様を説明してきたが、これらの実施態様もまた、装置のブロックまたは要素が対応する方法ステップまたは方法ステップの特徴にも対応するように、対応する方法の説明を表すことは明らかである。同様に、方法ステップの観点または方法ステップとして説明される実施態様もまた、対応する装置の対応するブロックまたは細部または特徴の説明を表す。方法ステップの一部またはすべては、例えば、マイクロプロセッサ、プログラマブルコンピュータまたは電子回路などのハードウェア装置によって（または、用いて）実行されてもよい。一部の実施形態では、そのような装置によって最も重要な方法ステップの一部またはいくつかが実行されてもよい。
【００５７】
特定の実施要件に応じて、本発明の実施形態は、ハードウェアで実施されてもよいし、ソフトウェアで実施されてもよい。実施は、デジタル記憶媒体、例えば、フロッピーディスク、ＤＶＤ、ブルーレイディスク、ＣＤ、ＲＯＭ、ＰＲＯＭ、ＥＰＲＯＭ、ＥＥＰＲＯＭもしくはフラッシュメモリ、ハードドライブまたはそこに保管された電子的に可読な制御信号を有する別の磁気もしくは光学メモリを用いて行うことができ、これは、それぞれの方法を行うようにプログラマブルコンピュータシステムと連携する、または連携できる。したがって、デジタル記憶媒体は、コンピュータ可読であってもよい。
【００５８】
本発明による一部の実施形態は、電子的に可読な制御信号を含むデータ担体を含み、これは、本明細書に説明される方法のうちの１つを行うようにプログラマブルコンピュータシステムと連携できる。
【００５９】
一般に、本発明の実施形態は、プログラムコードによるコンピュータプロクラム製品として実施でき、プログラムコードは、コンピュータプロクラム製品がコンピュータ上で実行される場合、方法のうちの１つを行うために作動可能である。
プログラムコードは、例えば、機械可読担体上に記録されてもよい。
【００６０】
他の実施形態は、本明細書に説明される方法のうちの１つを行うためのコンピュータプロクラムを含み、コンピュータプロクラムは、機械可読担体上に記録される。
したがって、換言すると、本発明の方法の実施形態は、コンピュータプロクラムがコンピュータ上で実行される場合に本明細書に説明される方法のうちの１つを行うためのプログラムコードを含むコンピュータプロクラムである。
【００６１】
したがって、本発明の方法のさらなる実施形態は、本明細書に説明される方法のうちの１つを行うための、その上に記録されたコンピュータプロクラムを含むデータ担体（またはデジタル記憶媒体またはコンピュータ可読媒体）である。
【００６２】
したがって、本発明の方法のさらなる実施形態は、本明細書に説明される方法のうちの１つを行うためのコンピュータプロクラムを表すデータストリームまたは信号系列である。データストリームまたは信号系列は、例えば、データ通信接続、例えばインターネットを介して転送されるように構成されてもよい。
【００６３】
さらなる実施形態は、本明細書に説明される方法のうちの１つを行うように構成または適合される、処理手段、例えばコンピュータ、またはプログラマブルロジックデバイスを備える。
【００６４】
さらなる実施形態は、本明細書に説明される方法のうちの１つを行うためのコンピュータプロクラムをそこにインストールしたコンピュータを備える。
【００６５】
本発明によるさらなる実施形態は、本明細書に説明される方法のうちの少なくとも１つを行うためのコンピュータプロクラムを受信機に転送するように構成される装置またはシステムを備える。送信は、電子的に行われてもよいし、光学的に行われてもよい。受信機は、例えば、コンピュータ、モバイルデバイス、メモリデバイスなどであってもよい。装置またはシステムは、例えば、コンピュータプロクラムを受信機に転送するためのファイルサーバを備えてもよい。
【００６６】
一部の実施形態では、プログラマブルロジックデバイス（例えば、フィールドプログラマブルゲートアレイ、ＦＰＧＡ）を用いて、本明細書に説明される方法の機能の一部またはすべてを行ってもよい。一部の実施形態では、フィールドプログラマブルゲートアレイは、本明細書に説明される方法のうちの１つを行うために、マイクロプロセッサと連携してもよい。一般に、一部の実施形態では、本方法は、任意のハードウェア装置によって行われる。これは、コンピュータプロセッサ（ＣＰＵ）などの普遍的に適用できるハードウェアであってもよいし、ＡＳＩＣなどの本方法に特化したハードウェアであってもよい。
【００６７】
上述の実施形態は、単に本発明の原理の説明のためのものである。本明細書に説明される構成および細部の修正および変形は、当業者には明らかであることが理解される。したがって、本発明は、添付の特許請求の範囲によってのみ限定されるものであり、本明細書において実施形態の記述および説明のために提示された具体的な詳細には限定されないことが意図されている。
【符号の説明】
【００６８】
１００  データ送信機
１０２  無線信号
１０４  標準準拠無線信号
１０６  修正無線信号
１０８  ビット列
１１０  標準準拠送信手段
１１２  プリアンブル、同期系列
１１２  制御手段
１１４  送信機識別情報
１１６  受信機識別情報
１５０  データ受信機
１５２  ＲＦ送受信機
１５４  ＲＦ受信機
２００  方法
【図１】
0006426125.tif 000002
【図２】
0006426125.tif 000003
【図３】
0006426125.tif 000004
【図４】
0006426125.tif 000005
【図５】
0006426125.tif 000006
【図６】
0006426125.tif 000007
【図７】
0006426125.tif 000008
【図８】
0006426125.tif 000009